(57)【特許請求の範囲】
【請求項１】
基地局の動作を模擬し、複数のレイヤで構成された通信プロトコルに従って試験対象の移動体通信端末（７０）と通信を行い、当該通信における前記複数のレイヤ毎の処理を実行するとともに、該レイヤ間の通信データを含むログデータを生成して外部にパケット送信する複数の擬似基地局装置（５１，５２）と、
前記複数の擬似基地局装置とネットワーク接続され、前記複数の擬似基地局装置のそれぞれから送信された前記パケットを受け、該パケットに含まれる前記ログデータに基づいて前記レイヤ間の通信のログを表示部（１１）に表示する表示装置（１０）と、
を有する移動体通信端末の試験システムであって、
前記表示装置は、
前記複数の擬似基地局装置のそれぞれを識別するための識別情報と前記ネットワーク上における前記複数の擬似基地局装置のアドレスとを対応付けた擬似基地局特定情報を予め記憶する擬似基地局特定情報記憶部（１６）と、
前記複数の擬似基地局装置のそれぞれからパケット送信された前記ログデータを受けたときに、当該パケットの送信元のアドレスと前記擬似基地局特定情報とを参照して当該ログデータを生成した前記擬似基地局装置を特定し、この特定した擬似基地局装置の前記識別情報を当該ログデータに付加する識別情報付加部（１４）と、
前記ログデータに付加された前記識別情報に基づいて、前記通信を行った前記擬似基地局装置を識別可能にして前記ログを前記表示部に表示する表示制御部（１２）とを備えたことを特徴とする移動体通信端末の試験システム（１００）。
【請求項２】
基地局の動作を模擬し、複数のレイヤで構成された通信プロトコルに従って試験対象の移動体通信端末（７０）と通信を行い、当該通信における前記複数のレイヤ毎の処理を実行するとともに、該レイヤ間の通信データを含むログデータを生成して外部にパケット送信する複数の擬似基地局装置（５１，５２）と、
前記複数の擬似基地局装置とネットワーク接続され、前記複数の擬似基地局装置のそれぞれから送信された前記パケットを受け、該パケットに含まれる前記ログデータに基づいて前記レイヤ間の通信のログを表示部（１１）に表示する表示装置（１０）と、
を有する移動体通信端末の試験システムであって、
前記表示装置は、
前記複数の擬似基地局装置のそれぞれに対応して備えられた複数のログデータ記憶部（３１，３２）と、
前記複数のログデータ記憶部のそれぞれを特定するための振分先情報と前記ネットワーク上における前記複数の擬似基地局装置のアドレスとを対応付けた振分情報を予め記憶する振分情報記憶部（２２）と、
前記複数の擬似基地局装置のそれぞれからパケット送信された前記ログデータを受けたときに、当該パケットの送信元のアドレスと前記振分情報とを参照して当該ログデータを記憶すべき前記ログデータ記憶部を特定し、この特定したログデータ記憶部に当該ログデータを記憶するログデータ振分部（２０）と、
前記複数のログデータ記憶部のそれぞれを特定するための読出元情報と前記複数の擬似基地局装置のそれぞれを識別するための識別情報とを対応付けた読出情報を予め記憶する読出情報記憶部（２１）と、
前記複数のログデータ記憶部からそれぞれ読み出した前記ログデータおよび前記読出情報に基づいて、前記通信を行った前記擬似基地局装置を識別可能にして前記ログを前記表示部に表示する表示制御部（１２）とを備えたことを特徴とする移動体通信端末の試験システム（９００）。
【請求項３】
前記表示制御部は、前記ログデータに含まれる時刻情報の時刻順に前記ログをソートして表示する状態と、前記通信を行った前記擬似基地局装置毎に前記ログをソートして表示する状態とを切り替え可能とすることを特徴とする請求項１または請求項２に記載の移動体通信端末の試験システム。
【請求項４】
前記複数の擬似基地局装置は、第１の擬似基地局装置と第２の擬似基地局装置とを含み、
前記移動体通信端末の通信先を前記第１の擬似基地局装置から前記第２の擬似基地局装置に切り替えるハンドオーバまたはインターラットを実行し、
前記表示制御部は、前記第１の擬似基地局装置および前記第２の擬似基地局装置の前記ログを一連のログとして表示することを特徴とする請求項１または請求項２に記載の移動体通信端末の試験システム。
【請求項５】
基地局の動作を模擬する複数の擬似基地局装置（５１，５２）が、複数のレイヤで構成された通信プロトコルに従って試験対象の移動体通信端末（７０）と通信を行い、当該通信における前記複数のレイヤ毎の処理を実行するステップ（Ｓ１１）と、
前記複数の擬似基地局装置が、該レイヤ間の通信データを含むログデータを生成するステップ（Ｓ１３）と、
前記複数の擬似基地局装置が、当該ログデータを外部にパケット送信するステップ（Ｓ１４）と、
前記複数の擬似基地局装置とネットワーク接続された表示装置（１０）が、前記複数の擬似基地局装置のそれぞれから送信された前記パケットを受けるステップ（Ｓ２１）と、
前記表示装置が、該パケットに含まれる前記ログデータに基づいて前記レイヤ間の通信のログを表示するステップ（Ｓ２５）と、
を有する移動体通信端末の試験方法であって、
前記複数の擬似基地局装置のそれぞれを識別するための識別情報と前記ネットワーク上における前記複数の擬似基地局装置のアドレスとを対応付けた擬似基地局特定情報を予め記憶するステップと、
前記表示装置が、前記複数の擬似基地局装置のそれぞれからパケット送信された前記ログデータを受けたときに、当該パケットの送信元のアドレスと前記擬似基地局特定情報とを参照して当該ログデータを生成した前記擬似基地局装置を特定し、この特定した擬似基地局装置の前記識別情報を当該ログデータに付加するステップ（Ｓ２２，Ｓ２３）とを有し、
前記表示するステップは、前記ログデータに付加された前記識別情報に基づいて、前記通信を行った前記擬似基地局装置を識別可能にして前記ログを表示することを特徴とする移動体通信端末の試験方法。
【請求項６】
基地局の動作を模擬する複数の擬似基地局装置（５１，５２）が、複数のレイヤで構成された通信プロトコルに従って試験対象の移動体通信端末（７０）と通信を行い、当該通信における前記複数のレイヤ毎の処理を実行するステップ（Ｓ３１）と、
前記複数の擬似基地局装置が、該レイヤ間の通信データを含むログデータを生成ステップ（Ｓ３３）と、
前記複数の擬似基地局装置が、当該ログデータを外部にパケット送信するステップ（Ｓ３４）と、
前記複数の擬似基地局装置とネットワーク接続された表示装置（１０）が、前記複数の擬似基地局装置のそれぞれから送信された前記パケットを受けるステップ（Ｓ４１）と、
前記表示装置が、該パケットに含まれる前記ログデータに基づいて前記レイヤ間の通信のログを表示するステップ（Ｓ４６）と、
を有する移動体通信端末の試験方法であって、
前記複数の擬似基地局装置のそれぞれに対応して前記表示装置に備えられた複数のログデータ記憶部（３１，３２）のそれぞれを特定するための振分先情報と前記ネットワーク上における前記複数の擬似基地局装置のアドレスとを対応付けて予め記憶するステップと、
前記複数のログデータ記憶部のそれぞれを特定するための読出元情報と前記複数の擬似基地局装置のそれぞれを特定するための擬似基地局特定情報とを対応付けて予め記憶するステップと、
前記表示装置が、前記複数の擬似基地局装置のそれぞれからパケット送信された前記ログデータを受けたときに、当該パケットの送信元のアドレスと前記振分先情報とを参照して当該ログデータを記憶すべき前記ログデータ記憶部を特定し、この特定したログデータ記憶部に当該ログデータを記憶するステップ（Ｓ４２，Ｓ４３）とを有し、
前記表示するステップは、前記複数のログデータ記憶部からそれぞれ読み出した前記ログデータおよび前記読出情報記憶部に記憶された情報に基づいて、前記通信を行った前記擬似基地局装置を識別可能にして前記ログを前記表示部に表示することを特徴とする移動体通信端末の試験方法。
【発明の詳細な説明】
【技術分野】
【０００１】
本発明は、同一または異なる通信規格で基地局と通信することができる移動体通信端末と擬似基地局との間での通信状態を確認し、通信時の通信ログ情報を記憶および表示可能な移動体通信端末の試験システムおよび試験システムのログ情報の表示方法に関する。
【背景技術】
【０００２】
例えば携帯端末装置等の新規な移動体通信端末を開発するにあたって、その開発中の移動体通信端末が基地局との間で正常に動作することを確認する必要がある。しかし、その開発中の移動体通信端末を実際に稼働している基地局に接続してその移動体通信端末の動作の確認の試験をすることはできない。
【０００３】
そこで、実際の基地局と同様の機能を有する擬似基地局に、その開発中の移動体通信端末を接続し、その移動体通信端末と擬似基地局との間で各種通信情報を送受信することにより、その移動体通信端末が正常に動作するか否かの試験を行っている。
【０００４】
その試験においては、規定の通信プロトコルに基づいて移動体通信端末と擬似基地局との間で通信を実行させ、その通信シーケンスおよび通信内容のログ情報を取得し、移動体通信端末が正常に動作しなかった場合に、そのログ情報に基づいてその正常に動作しなかった原因の究明を行えるようになっている。従来、この種の装置として、特許文献１の試験装置が知られている。
【０００５】
特許文献１記載の試験装置は、試験対象の通信端末との間で通信を行うために、通信の手順を制御する制御部と、通信における階層化された通信プロトコルを制御すると共に、通信シーケンス及び通信内容を時刻情報と共にログ情報として抽出するプロトコルスタックと、プロトコルスタックで抽出されたログ情報を取得するログ取得部と、ログ取得部が取得したログ情報を記憶するメイン記憶部と、メイン記憶部に記憶されたログ情報を表示する表示部とを備えた試験装置において、ログ取得部が取得したログ情報を順次所定の期間記憶する一時記憶部と、一時記憶部から一部のログ情報を選択的に抽出するための条件を設定する設定部とを備え、制御部は、設定部で設定された条件に基づき、一時記憶部から条件にあったログ情報を検出すると共に、検出されたログ情報とログ情報に連続する前後の少なくとも一方のログ情報とをメイン記憶部に記憶させる。
【０００６】
この構成により、特許文献１記載の試験装置は、携帯電話やモバイル端末等の通信端末の性能評価等の試験を行うため、通信端末との間で通信を行い、通信時のログ情報や測定データ等の各種情報を記憶することができるようになっている。
【０００７】
一方、実際に稼働している通信システムでは、移動体通信端末が移動する際に、同じ通信方式により移動体通信端末と基地局間で通信が切り替わるハンドオーバや異なる通信方式により移動体通信端末と基地局間で通信が切り替わるインターラット（inter-RAT）が行われている（以後、ハンドオーバとインターラットとをまとめてハンドオーバ等と呼称する）。このような装置として、特許文献２の試験装置が知られている。
【０００８】
特許文献２記載の試験装置は、同一または異なる通信方式の二つの端末機器が接続可能となっている接続部と、共通バスに接続され、それぞれ通信方式に応じたプログラム及び測定指示を受けて、それを実行することにより、接続部に接続可能となっている端末機器をそれぞれ制御する信号を含む試験信号を出力する第１及び第２の端末制御手段と、共通バスに接続され、第１及び第２の端末制御手段からの試験信号に応答したそれぞれの端末機器からの応答信号を受けて、測定指示で定められた条件の測定を行う測定部と、共通バスを介して、予め第１及び第２の端末制御手段に対し、端末機器の通信方式に応じたプログラムを供給するとともに、測定指示を出力するトータル制御手段とを備える。
【０００９】
この構成により、複数の通信方式、複数端末機器のパラレル測定、測定項目のパラレル測定、タイミングの重要なハンドオーバなどの各種の測定を適宜選択して実行することができる。
【先行技術文献】
【特許文献】
【００１０】
【特許文献１】特開２００９−１４７６４０号公報
【特許文献２】特開２００５−１２２７４号公報
【発明の概要】
【発明が解決しようとする課題】
【００１１】
従来の移動体通信端末の試験において、単一の試験装置が複数の擬似基地局を備えてハンドオーバ等の試験を行い、これらの複数の擬似基地局のログをマージして表示することが困難な場合があった。
【００１２】
例えば、現状、通信規格が策定されつつあるような新しい通信方式（現時点の例として、ＬＴＥ−Ａｄｖａｎｃｅｄ）に対応する試験装置は、従来の通信方式よりも高い処理能力が必要となる上に、この通信規格で今後策定される部分に対応していけるような構成が求められる。このため、回路規模や装置構成が大掛かりとなって、単一の筐体の試験装置に複数の擬似基地局を備えることが困難な場合がある。
【００１３】
また、インターラット試験については、様々な通信方式間で行うことが想定されるが、一つの試験装置があらゆる通信方式に対応することは困難な場合がある。
【００１４】
これらのような場合に、ハンドオーバ等の試験を行おうとすると、複数の試験装置をそれぞれ擬似基地局として用い、表示装置がこれら複数の試験装置から移動体通信端末との通信ログをそれぞれ取得してこの通信ログを表示する構成の試験システムが考えられる。
【００１５】
しかしながら、個々の試験装置はこのような構成を想定しておらず、試験装置から表示装置に送出される通信ログには、それぞれの試験装置（すなわち擬似基地局）を識別する情報が含まれていなかった。このため、表示装置が通信ログを表示する際に、複数の擬似基地局のログをマージしてしまうと、どのログがどの擬似基地局のものかが分からなくなってしまうという課題があった。
【００１６】
以上の課題を解決するため、本発明は、複数の擬似基地局を備えた試験システムにおいて、複数の擬似基地局の個々の擬似基地局の動作に関するログ情報をそれぞれ区別して適切に収集するとともに、その複数の擬似基地局の個々の擬似基地局の動作に関するログ情報を、個々の擬似基地局が識別可能となるように表示する移動体通信端末の試験システムおよび試験方法を提供することを目的とする。
【課題を解決するための手段】
【００１７】
本発明の請求項１に係る移動体通信端末の試験システム（１００）は、基地局の動作を模擬し、複数のレイヤで構成された通信プロトコルに従って試験対象の移動体通信端末（７０）と通信を行い、当該通信における前記複数のレイヤ毎の処理を実行するとともに、該レイヤ間の通信データを含むログデータを生成して外部にパケット送信する複数の擬似基地局装置（５１，５２）と、前記複数の擬似基地局装置とネットワーク接続され、前記複数の擬似基地局装置のそれぞれから送信された前記パケットを受け、該パケットに含まれる前記ログデータに基づいて前記レイヤ間の通信のログを表示部（１１）に表示する表示装置（１０）と、を有する移動体通信端末の試験システムであって、前記表示装置は、前記複数の擬似基地局装置のそれぞれを識別するための識別情報と前記ネットワーク上における前記複数の擬似基地局装置のアドレスとを対応付けた擬似基地局特定情報を予め記憶する擬似基地局特定情報記憶部（１６）と、前記複数の擬似基地局装置のそれぞれからパケット送信された前記ログデータを受けたときに、当該パケットの送信元のアドレスと前記擬似基地局特定情報とを参照して当該ログデータを生成した前記擬似基地局装置を特定し、この特定した擬似基地局装置の前記識別情報を当該ログデータに付加する識別情報付加部（１４）と、前記ログデータに付加された前記識別情報に基づいて、前記通信を行った前記擬似基地局装置を識別可能にして前記ログを前記表示部に表示する表示制御部（１２）とを備えたことを特徴とする。
【００１８】
この構成によると、本発明の請求項１に係る移動体通信端末の試験システムは、表示装置が、複数の擬似基地局装置のそれぞれを識別するための識別情報とネットワーク上における複数の擬似基地局装置のアドレスとを対応付けた擬似基地局特定情報を予め記憶する擬似基地局特定情報記憶部と、複数の擬似基地局装置のそれぞれからパケット送信されたログデータを受けたときに、パケットの送信元のアドレスと擬似基地局特定情報とを参照してログデータを生成した擬似基地局装置を特定し、この特定した擬似基地局装置の識別情報をログデータに付加する識別情報付加部と、ログデータに付加された識別情報に基づいて、通信を行った擬似基地局装置を識別可能にしてログを表示部に表示する表示制御部とを備えるため、ログ情報に複数の擬似基地局を識別する情報が含まれていなくても、複数の擬似基地局の個々の擬似基地局の動作に関するログ情報を、個々の擬似基地局が識別可能となるように表示することができる。
【００１９】
また、本発明の請求項２に係る移動体通信端末の試験システム（９００）は、基地局の動作を模擬し、複数のレイヤで構成された通信プロトコルに従って試験対象の移動体通信端末（７０）と通信を行い、当該通信における前記複数のレイヤ毎の処理を実行するとともに、該レイヤ間の通信データを含むログデータを生成して外部にパケット送信する複数の擬似基地局装置（５１，５２）と、前記複数の擬似基地局装置とネットワーク接続され、前記複数の擬似基地局装置のそれぞれから送信された前記パケットを受け、該パケットに含まれる前記ログデータに基づいて前記レイヤ間の通信のログを表示部（１１）に表示する表示装置（１０）と、を有する移動体通信端末の試験システムであって、前記表示装置は、前記複数の擬似基地局装置のそれぞれに対応して備えられた複数のログデータ記憶部（３１，３２）と、前記複数のログデータ記憶部のそれぞれを特定するための振分先情報と前記ネットワーク上における前記複数の擬似基地局装置のアドレスとを対応付けた振分情報を予め記憶する振分情報記憶部（２２）と、前記複数の擬似基地局装置のそれぞれからパケット送信された前記ログデータを受けたときに、当該パケットの送信元のアドレスと前記振分情報とを参照して当該ログデータを記憶すべき前記ログデータ記憶部を特定し、この特定したログデータ記憶部に当該ログデータを記憶するログデータ振分部（２０）と、前記複数のログデータ記憶部のそれぞれを特定するための読出元情報と前記複数の擬似基地局装置のそれぞれを識別するための識別情報とを対応付けた読出情報を予め記憶する読出情報記憶部（２１）と、前記複数のログデータ記憶部からそれぞれ読み出した前記ログデータおよび前記読出情報に基づいて、前記通信を行った前記擬似基地局装置を識別可能にして前記ログを前記表示部に表示する表示制御部（１２）とを備えたことを特徴とする。
【００２０】
この構成によると、本発明の請求項２に係る移動体通信端末の試験システムは、表示装置が、複数の擬似基地局装置のそれぞれに対応して備えられた複数のログデータ記憶部と、複数のログデータ記憶部のそれぞれを特定するための振分先情報とネットワーク上における複数の擬似基地局装置のアドレスとを対応付けた振分情報を予め記憶する振分情報記憶部と、複数の擬似基地局装置のそれぞれからパケット送信されたログデータを受けたときに、パケットの送信元のアドレスと振分情報とを参照してログデータを記憶すべきログデータ記憶部を特定し、この特定したログデータ記憶部にログデータを記憶するログデータ振分部と、複数のログデータ記憶部のそれぞれを特定するための読出元情報と複数の擬似基地局装置のそれぞれを識別するための識別情報とを対応付けた読出情報を予め記憶する読出情報記憶部と、複数のログデータ記憶部からそれぞれ読み出したログデータおよび読出情報に基づいて、通信を行った擬似基地局装置を識別可能にしてログを表示部に表示する表示制御部とを備えているため、ログ情報に複数の擬似基地局を識別する情報が含まれていなくても、複数の擬似基地局の個々の擬似基地局の動作に関するログ情報を、個々の擬似基地局が識別可能となるように表示することができる。
【００２１】
なお、本発明の請求項３に係る移動体通信端末の試験システムは、前記表示制御部は、前記ログデータに含まれる時刻情報の時刻順に前記ログをソートして表示する状態と、前記通信を行った前記擬似基地局装置毎に前記ログをソートして表示する状態とを切り替え可能であってもよい。
【００２２】
この構成によると、本発明の請求項３に係る移動体通信端末の試験システムは、表示制御部が、ログデータに含まれる時刻情報の時刻順にログをソートして表示する状態と、通信を行った擬似基地局装置毎にログをソートして表示する状態とを切り替え可能であるため、ログ情報に複数の擬似基地局を識別する情報が含まれていなくても、複数の擬似基地局の個々の擬似基地局の動作に関するログ情報を、個々の擬似基地局がより明確に識別可能となるように表示することができる。
【００２３】
なお、本発明の請求項４に係る移動体通信端末の試験システムは、前記複数の擬似基地局装置は、第１の擬似基地局装置と第２の擬似基地局装置とを含み、前記移動体通信端末の通信先を前記第１の擬似基地局装置から前記第２の擬似基地局装置に切り替えるハンドオーバまたはインターラットを実行し、前記表示制御部が、前記第１の擬似基地局装置および前記第２の擬似基地局装置の前記ログを一連のログとして表示するようにしてもよい。
【００２４】
この構成によると、本発明の請求項４に係る移動体通信端末の試験システムは、移動体通信端末の通信先を第１の擬似基地局装置から第２の擬似基地局装置に切り替えるハンドオーバまたはインターラットを実行し、表示制御部が、第１の擬似基地局装置および第２の擬似基地局装置のログを一連のログとして表示するので、そのような状況において、ログ情報に複数の擬似基地局を識別する情報が含まれていなくても、複数の擬似基地局の個々の擬似基地局の動作に関するログ情報を、個々の擬似基地局が識別可能となるように表示することができる。
【００２５】
また、本発明の請求項５に係る移動体通信端末の試験方法は、基地局の動作を模擬する複数の擬似基地局装置（５１，５２）が、複数のレイヤで構成された通信プロトコルに従って試験対象の移動体通信端末（７０）と通信を行い、当該通信における前記複数のレイヤ毎の処理を実行するステップ（Ｓ１１）と、前記複数の擬似基地局装置が、該レイヤ間の通信データを含むログデータを生成するステップ（Ｓ１３）と、前記複数の擬似基地局装置が、当該ログデータを外部にパケット送信するステップ（Ｓ１４）と、前記複数の擬似基地局装置とネットワーク接続された表示装置（１０）が、前記複数の擬似基地局装置のそれぞれから送信された前記パケットを受けるステップ（Ｓ２１）と、前記表示装置が、該パケットに含まれる前記ログデータに基づいて前記レイヤ間の通信のログを表示するステップ（Ｓ２５）と、を有する移動体通信端末の試験方法であって、前記複数の擬似基地局装置のそれぞれを識別するための識別情報と前記ネットワーク上における前記複数の擬似基地局装置のアドレスとを対応付けた擬似基地局特定情報を予め記憶するステップと、前記表示装置が、前記複数の擬似基地局装置のそれぞれからパケット送信された前記ログデータを受けたときに、当該パケットの送信元のアドレスと前記擬似基地局特定情報とを参照して当該ログデータを生成した前記擬似基地局装置を特定し、この特定した擬似基地局装置の前記識別情報を当該ログデータに付加するステップ（Ｓ２２，Ｓ２３）とを有し、前記表示するステップは、前記ログデータに付加された前記識別情報に基づいて、前記通信を行った前記擬似基地局装置を識別可能にして前記ログを表示することを特徴とする。
【００２６】
この構成によると、本発明の請求項５に係る移動体通信端末の試験方法は、複数の擬似基地局装置のそれぞれを識別するための識別情報とネットワーク上における複数の擬似基地局装置のアドレスとを対応付けた擬似基地局特定情報を予め記憶するステップと、表示装置が、複数の擬似基地局装置のそれぞれからパケット送信されたログデータを受けたときに、パケットの送信元のアドレスと擬似基地局特定情報とを参照してログデータを生成した擬似基地局装置を特定し、この特定した擬似基地局装置の識別情報をログデータに付加するステップとを有し、表示するステップは、ログデータに付加された識別情報に基づいて、通信を行った擬似基地局装置を識別可能にして前記ログを表示するため、ログ情報に複数の擬似基地局を識別する情報が含まれていなくても、複数の擬似基地局の個々の擬似基地局の動作に関するログ情報を、個々の擬似基地局が識別可能となるように表示することができる。
【００２７】
また、本発明の請求項６に係る移動体通信端末の試験方法は、基地局の動作を模擬する複数の擬似基地局装置（５１，５２）が、複数のレイヤで構成された通信プロトコルに従って試験対象の移動体通信端末（７０）と通信を行い、当該通信における前記複数のレイヤ毎の処理を実行するステップ（Ｓ３１）と、前記複数の擬似基地局装置が、該レイヤ間の通信データを含むログデータを生成ステップ（Ｓ３３）と、前記複数の擬似基地局装置が、当該ログデータを外部にパケット送信するステップ（Ｓ３４）と、前記複数の擬似基地局装置とネットワーク接続された表示装置（１０）が、前記複数の擬似基地局装置のそれぞれから送信された前記パケットを受けるステップ（Ｓ４１）と、前記表示装置が、該パケットに含まれる前記ログデータに基づいて前記レイヤ間の通信のログを表示するステップ（Ｓ４６）と、を有する移動体通信端末の試験方法であって、前記複数の擬似基地局装置のそれぞれに対応して前記表示装置に備えられた複数のログデータ記憶部（３１，３２）のそれぞれを特定するための振分先情報と前記ネットワーク上における前記複数の擬似基地局装置のアドレスとを対応付けて予め記憶するステップと、前記複数のログデータ記憶部のそれぞれを特定するための読出元情報と前記複数の擬似基地局装置のそれぞれを特定するための擬似基地局特定情報とを対応付けて予め記憶するステップと、前記表示装置が、前記複数の擬似基地局装置のそれぞれからパケット送信された前記ログデータを受けたときに、当該パケットの送信元のアドレスと前記振分先情報とを参照して当該ログデータを記憶すべき前記ログデータ記憶部を特定し、この特定したログデータ記憶部に当該ログデータを記憶するステップ（Ｓ４２，Ｓ４３）とを有し、前記表示するステップは、前記複数のログデータ記憶部からそれぞれ読み出した前記ログデータおよび前記読出情報記憶部に記憶された情報に基づいて、前記通信を行った前記擬似基地局装置を識別可能にして前記ログを前記表示部に表示することを特徴とする。
【００２８】
この構成によると、本発明の請求項６に係る移動体通信端末の試験方法は、複数の擬似基地局装置のそれぞれに対応して表示装置に備えられた複数のログデータ記憶部のそれぞれを特定するための振分先情報とネットワーク上における複数の擬似基地局装置のアドレスとを対応付けて予め記憶するステップと、複数のログデータ記憶部のそれぞれを特定するための読出元情報と複数の擬似基地局装置のそれぞれを特定するための擬似基地局特定情報とを対応付けて予め記憶するステップと、表示装置が、複数の擬似基地局装置のそれぞれからパケット送信されたログデータを受けたときに、パケットの送信元のアドレスと振分先情報とを参照してログデータを記憶すべきログデータ記憶部を特定し、この特定したログデータ記憶部にログデータを記憶するステップとを有し、表示するステップは、複数のログデータ記憶部からそれぞれ読み出したログデータおよび読出情報記憶部に記憶された情報に基づいて、通信を行った擬似基地局装置を識別可能にしてログを表示部に表示するため、ログ情報に複数の擬似基地局を識別する情報が含まれていなくても、複数の擬似基地局の個々の擬似基地局の動作に関するログ情報を、個々の擬似基地局が識別可能となるように表示することができる。
【発明の効果】
【００２９】
本発明によると、複数の擬似基地局を備えた試験システムにおいて、複数の擬似基地局の個々の擬似基地局の動作に関するログ情報をそれぞれ区別して適切に収集するとともに、その複数の擬似基地局の個々の擬似基地局の動作に関するログ情報を、個々の擬似基地局が識別可能となるように表示する移動体通信端末の試験システムおよび試験システムのログ情報の表示方法を提供することができる。
【図面の簡単な説明】
【００３０】
【図１】本発明の一実施形態に係る試験システムのブロック図である。
【図２】表示装置のＢＴＳ情報記憶部に記憶されるテーブルの一例を示す図である。
【図３】図２に示す擬似基地局から表示装置に送信されるログデータのフォーマットの一例を示す図である。
【図４】表示装置のログデータ記憶部に記憶されるログデータのフォーマットの一例を示す図である。
【図５】図１に示す試験システムの一例に係る擬似基地局のブロック図である。
【図６】本発明の一実施形態に係る試験システムが通信のログ情報を取得して表示装置にログ情報を表示する動作を説明するためのフローチャートであり、（ａ）は、移動体通信端末と擬似基地局との間の通信に関するログ情報を擬似基地局が取得する動作のフローチャートであり、（ｂ）は、表示装置が、擬似基地局ごとに、表示装置に通信のログ情報を表示する動作を説明するためのフローチャートである。
【図７】図６（ｂ）のフローチャートに示す表示装置の動作により表示装置に表示される通信のログ情報の一例を示す図である。
【図８】図６（ｂ）のフローチャートに示す表示装置の動作により表示装置に表示される通信のログ情報の他の一例を示す図である。
【図９】本発明の他の実施形態に係る試験システムのブロック図である。
【図１０】図９に示す試験システムの表示装置の振分情報記憶部に記憶されるテーブルの一例を示す図である。
【図１１】図９に示す試験システムの表示装置の読出情報記憶部に記憶されるテーブルの一例を示す図である。
【図１２】図９に示す試験システムが、通信のログ情報を取得して表示装置に通信のログ情報を表示する動作を説明するためのフローチャートであり、（ａ）は、移動体通信端末と擬似基地局との間の通信に関するログ情報を擬似基地局が取得する動作のフローチャートであり、（ｂ）は、表示装置が、擬似基地局ごとに表示装置に通信のログ情報を表示する動作を説明するためのフローチャートである。
【発明を実施するための形態】
【００３１】
以下、本発明の一実施形態に係る試験システム１００について図面を参照しながら説明する。
【００３２】
図１は、本発明の一実施形態に係る試験システム１００のブロック図を示す。試験システム１００は、試験装置として機能する擬似基地局（＃１）５１および擬似基地局（＃２）５２を含む擬似基地局５０を備える。
【００３３】
ここで、＃１および＃２の符号は２つの擬似基地局を区別するためのみに用いており、主従等の関係を意味するものではない。また、擬似基地局５０は２つに特定されるものではなく、３つ以上の擬似基地局からなってもよい。
【００３４】
また、試験システム１００は、各擬似基地局５１，５２と移動体通信端末７０との間の試験通信のログ情報を表示するための表示装置１０を備える。
【００３５】
なお、本明細書では、「ログ情報」は、通信内容に関するログ情報のみを意味する場合と、ログ情報の識別情報やログ情報の取得情報等も含むログヘッダまで含むものを意味する場合とがあり、どちらかの意味に限定されるものではない。また、後述する本発明の実施形態の説明において、「ログデータ」は、ログヘッダに、擬似基地局から表示装置にログ情報を送信するために必要な情報を付加したフォーマットのものを意味する場合がある。
【００３６】
また、擬似基地局５１および擬似基地局５２は、試験対象の移動体通信端末７０と結合器６０を介して同軸ケーブルで接続されている。同軸ケーブルに流れる信号としてはＲＦ信号が用いられるが、試験が、移動体通信端末７０としての試験ではなくそのチップセットとして行う場合には、ＲＦ信号ではなくそのベース帯域のデジタルＩＱ信号であってもよい。
【００３７】
結合器６０は、移動体通信端末７０と擬似基地局５１，５２との間で送受信される信号を結合および分配する。ただし、結合器６０および前述の同軸ケーブルを用いずに、移動体通信端末７０にアンテナを設けて、移動体通信端末７０と擬似基地局５１または擬似基地局５２とを無線信号で接続（すなわち空間結合）するようにしてもよい。
【００３８】
移動体通信端末７０は、１または２以上の通信方式に対応するもので、通信方式としては、ＧＳＭ（登録商標）（Global System for Mobile Communications）、Ｗ−ＣＤＭＡ（Wideband-Code Division Multiple Access）、ＣＤＭＡ２０００（Code Division Multiple Access 2000）、ＬＴＥ（Long Term Evolution）、ＥＶＤＯ（Evolution Data Only）、ＴＤ-ＳＣＤＭＡ（Time Division Synchronous Code Division Multiple Access）、ＬＴＥ−Ａｄｖａｎｃｅｄ等がある。
【００３９】
擬似基地局５１，５２は実際の基地局と同様の対応機能を有する。詳しくは後述のとおり、両者とも同様なハード構成を持ち、各々が、ＲＡＭおよびＣＰＵを有する。ＲＡＭには移動体通信端末７０の上記のような１または２以上の通信方式を制御するために必要なプログラムが記憶されていて、擬似基地局５１，５２はいずれかの通信方式に従って移動体通信端末７０との間で通信を行う。
【００４０】
各擬似基地局５１，５２は、時刻情報を生成する時刻生成部５３５（図５）を備えており、両者の時刻合わせが図られている。
【００４１】
また、各擬似基地局５１，５２は、詳しくは後述のとおり、通信手順や試験手順を示すシナリオに基づいて、移動体通信端末７０との間で所定の通信を行い、その通信に関するログ情報を取得する。その通信のログ情報は、中継装置４０を経由して表示装置１０に送信される。
【００４２】
移動体通信端末７０と各擬似基地局５１，５２との間の通信の切り替えは、ハンドオーバ等によって行われる。例えば、擬似基地局５１の送信電力を下げる一方擬似基地局５２の送信電力を上げると、移動体通信端末７０と擬似基地局５１との間の通信は、移動体通信端末７０と擬似基地局５２との間の通信に切り替わる。
【００４３】
各擬似基地局５１，５２と中継装置４０との間、中継装置４０と表示装置との間は、それぞれＧｂＥ（Ｇｉｇａｂｉｔ  Ｅｔｈｅｒｎｅｔ（登録商標））で接続され、ＴＣＰ／ＩＰを用いたパケット通信が行われる。
【００４４】
中継装置４０は、移動体通信端末７０から送られてきた通信データを解析して宛先を検出し、送り先の表示装置１０に通信データを送信する。このため、中継装置４０は図示せぬ経路表を備える。中継装置４０としてスイッチングハブやルーターを用いることができる。
【００４５】
表示装置１０は、表示装置側転送部１５、ＢＴＳ特定情報記憶部１６、ＢＴＳ情報付加部１４、ログデータ記憶部１３、表示制御部１２、表示部１１および操作部１７を備える。
【００４６】
表示装置側転送部１５は、中継装置４０から受信するＩＰパケットのヘッダ情報とペイロードに含まれるログデータとをＢＴＳ特定情報記憶部１６およびＢＴＳ情報付加部１４にそれぞれ送出する。ＢＴＳ特定情報記憶部１６は、ＢＴＳ特定情報を記憶する。ＢＴＳ情報付加部１４は、ＢＴＳ特定情報記憶部１６から入力されるＢＴＳ識別情報を通信シーケンスに関するログ情報に付加する。操作部１７は、試験システムの設定者または試験者が、表示制御部１２およびＢＴＳ特定情報記憶部１６に対し所定の信号の入力操作を行う。
【００４７】
なお、ここで、ＢＴＳとは、Base Terminal Stationのことで、擬似基地局５１または擬似基地局５２を意味する。
【００４８】
表示装置側転送部１５は、中継装置４０から、擬似基地局５１、５２と移動体通信端末７０との間の通信データのログデータを含むＩＰパケットを受信すると、そのＩＰパケットのペイロードに含まれるログデータをＢＴＳ情報付加部１４に送出するとともに、そのＩＰパケットのヘッダ情報をＢＴＳ特定情報記憶部１６に送出する。
【００４９】
ＢＴＳ特定情報記憶部１６は、そのＩＰパケットの送信元ＩＰアドレスと擬似基地局の番号（＃１、＃２）との対応関係を示すテーブルを記憶する。そのテーブルに格納されるＩＰアドレスおよび擬似基地局を識別する番号は、操作部１７によって予め入力される。
【００５０】
図２は、そのテーブルの一例を示す。テーブルには、ＩＰアドレスが、１９２．１６８．０．１の場合には、ＢＴＳ識別情報が「１」で、ＩＰアドレスが、１９２．１６８．０．２の場合には、ＢＴＳ識別情報が「２」であることが示されている。
【００５１】
擬似基地局５１、５２のＩＰアドレスは、それぞれ、１９２．１６８．０．１および１９２．１６８．０．２なので、ＢＴＳ識別情報の「１」および「２」は、それぞれ、擬似基地局５１、５２の＃１および＃２を示している。
【００５２】
ＢＴＳ特定情報記憶部１６は、表示装置側転送部１５からＩＰパケットのヘッダ情報を受け取ると、そのヘッダ情報に含まれる送信元アドレスを確認し、次に、テーブルを参照して、そのＩＰアドレスがＢＴＳ識別情報の「１」または「２」のどちらに対応するのかを決定する。
【００５３】
例えば、移動体通信端末７０と擬似基地局５１との間で通信試験が行われ、ＢＴＳ特定情報記憶部１６が、擬似基地局５１からＩＰパケットのヘッダ情報を受け取った場合には、ＢＴＳ特定情報記憶部１６は、ＩＰパケットの送信元アドレスは、１９２．１６８．０．１であると判断し、さらに、テーブルを参照して、そのＩＰアドレスは、ＢＴＳ識別情報の「１」に対応すると判断する。
【００５４】
次に、ＢＴＳ特定情報記憶部１６は、その判断したＢＴＳ識別情報をＢＴＳ情報付加部１４に送信する。
【００５５】
なお、テーブルには、ＴＣＰ／ＩＰポート番号の欄が設けられており、ポート番号はログ情報の通信とそれ以外の通信とを区別するために用いることができるが、その区別を、表示装置側転送部１５からＢＴＳ情報付加部１４にログ情報を送出する際に行う場合は、ＴＣＰ／ＩＰポート番号の欄は省略することができる。その場合、表示装置側転送部１５は、ＢＴＳ特定情報記憶部１６に対して、ヘッダ情報に含まれる送信元アドレスのみを送出するようにしてもよい。
【００５６】
上記のテーブルの内容は、擬似基地局のＩＰアドレスが変わったとき、ＢＴＳ識別情報が変更されたときに、操作部１７の入力によって変更することができる。
【００５７】
なお、ＩＰアドレスとは、ＴＣＰ／ＩＰプロトコルによりパケットを送受信するネットワーク上の機器を識別するために、ネットワーク層における識別用の番号であり、論理アドレスともいう。
【００５８】
また、ここでは、ＩＰアドレスをＩＰｖ４の３２ビットで表しており、また、明細書での表示の便宜上１０進法で表しているが、これは例示であり、ＩＰｖ６による１２８ビットで表してもよい。
【００５９】
ＢＴＳ情報付加部１４は、表示装置側転送部１５からＩＰパケットのペイロードに含まれるログデータを受け取った時に、上記のとおり、ＢＴＳ特定情報記憶部１６から、そのＩＰパケットの送信アドレスに対応するＢＴＳ識別情報も受け取る。
【００６０】
ＢＴＳ情報付加部１４は、そのログデータにＢＴＳ識別情報を付加する。これについて以下に具体的に述べる。
【００６１】
図３に、擬似基地局５１，５２から中継装置４０を経由して表示装置側転送部１５に送信されるＩＰパケットから取り出されたログデータのフォーマットを示す。
【００６２】
図３に示すように、ログデータは、ログヘッダとレイヤ間通信データとからなり、ログヘッダは、ＩＤ情報、時刻情報、送信元レイヤ、宛先レイヤ、チャネル情報、プリミティブ名およびログデータ長を含む。
【００６３】
ログデータの中のＩＤはログデータの識別のためのコードを示す。時刻情報はログ取得時刻やログ生成時刻を示す。送信元レイヤおよび宛先レイヤは、それぞれ、送信元および宛先となるプロトコルスタックの各レイヤを示す。
【００６４】
プロトコルスタックは、詳しくは後述のとおり、ＰＨＹ、ＭＡＣ、ＲＬＣ、ＰＤＣＰおよびＲＲＣの階層構造からなる。また、プリミティブ名はレイヤ間通信の制御情報を識別するための名称である。ログデータ長は、ログデータの長さを示す。
【００６５】
図４は、ＢＴＳ情報付加部１４によってＢＴＳ識別情報が付加されたログデータを示す。その図に示すように、ＢＴＳ識別情報の「１」または「２」が、ログヘッダのＩＤ情報の前に付加されている。
【００６６】
ログデータ記憶部１３は、ＢＴＳ情報付加部１４によってＢＴＳ識別情報が付加されたログデータを記憶する。
【００６７】
表示制御部１２は、操作部１７から入力される試験者の操作に応答して、ログ情報を並び替えたりまとめたりして所定の形式にしたログ情報を表示部１１に表示させる。例えば、詳しくは後述のとおり、図７に示すように、ログデータをシーケンスログとしてまとめて表示する際に、同じＢＴＳ識別情報が付されたログデータをまとめて時間順に並べたり、図８に示すように、同じＢＴＳ識別情報が付されたログデータをグループにまとめて横並びに表示したりすることができる。
【００６８】
図５は、擬似基地局５１，５２の概略の構成を示す。いずれの擬似基地局５１，５２も同じ構成であるため、以下の説明において擬似基地局５１，５２と記載した場合であっても１台の擬似基地局を意味するものとする。
【００６９】
擬似基地局５１，５２は、シナリオ処理部５０１、メッセージ処理部５０２、レイヤ処理部５０３、送受信部５０４、ログデータ処理部５０５、ログデータバッファ５０６および擬似基地局側転送部５０７を備える。
【００７０】
シナリオ処理部５０１は、移動体通信端末７０に各種試験を行うべく通信プロトコルに基づいたプロトコルメッセージのシーケンスを記述した複数種類のシナリオを記憶している。
【００７１】
シナリオ処理部５０１は、所定のシナリオを選択し、その選択したシナリオに従って、メッセージ処理部５０２を含む擬似基地局５１，５２の各部を制御する。メッセージ処理部５０２は、シナリオ処理部５０１からの制御により、移動体通信端末７０に送信すべきメッセージを生成してレイヤ処理部５０３に送るとともに、移動体通信端末７０からレイヤ処理部５０３を介して受けたメッセージを処理する。
【００７２】
レイヤ処理部５０３はプロトコルスタックを有する。プロトコルスタックは、下位層から上位層に向かって、ＰＨＹ（Physical Layer（物理層））、ＭＡＣ（Media Access Control Layer（媒体アクセス制御層））、ＲＬＣ（Radio Link Control Layer（無線リンク制御層））、ＰＤＣＰ（Packet Data Convergence Protocol Layer（パケット・データ収斂プロトコル層））およびＲＲＣ（Radio Resource Control Layer（無線リソース制御層））の階層構造からなる。
【００７３】
それらのプロトコルスタックは、レイヤ処理部５０３の指示に基づき、上位レイヤから下位レイヤまでのプロトコルスタックが互いに連携動作して移動体通信端末７０との間でシナリオに沿った通信を行う。
【００７４】
レイヤ処理部５０３のプロトコルスタックを構成する各レイヤについて詳細に説明すると、ＰＨＹは、移動体通信端末７０との間で送受信される通信データを変調および復調する。また、ＰＨＹは、通信データを送受信するために、多重化、チャネル符号化、拡散などを行う。
【００７５】
ＭＡＣは、無線資源を効率よく使うための制御を行うとともに、下位層のＰＨＹと上位層のＲＬＣ，ＰＤＣＰ，ＲＲＣとの間におけるデータ変換を実施する。ＲＬＣは、この擬似基地局と移動体通信端末７０との間におけるフロー制御、誤りデータの処置、データ再送などの制御を行う。
【００７６】
ＰＤＣＰは、秘匿、正当性確認、順序整列、ヘッダ圧縮などを行う。ＲＲＣは、この擬似基地局と移動体通信端末７０との間での無線区間で確立する仮想的なコネクションである無線ベアラの設定、ネットワークから移動体通信端末７０に対するシステム情報や呼出情報の報知などを行う。
【００７７】
レイヤ処理部５０３は、レイヤ間で連携動作を行い、通信方式に従ったプロトコルでの通信データの送受を制御するとともに、通信シーケンスおよび通信内容をログ情報として抽出し、後述するログデータ処理部５０５のログデータ生成部５１５に入力する。
【００７８】
送受信部５０４は、レイヤ処理部５０３からの通信データを符号化、変調、周波数変換してＲＦ信号を生成し、移動体通信端末７０に送信する。また、移動体通信端末７０からのＲＦ信号を受信し、周波数変換、復調，復号して、レイヤ処理部５０３に送る。
【００７９】
ログデータ処理部５０５は、ログデータ生成部５１５、ＩＤ生成部および時刻生成部５３５を備える。
【００８０】
ログデータ生成部５１５は、擬似基地局５１，５２と移動体通信端末７０との間の通信時にレイヤ処理部５０３の各レイヤ間で抽出されたログ情報を取得し、それに基づいて表示装置１０に送信するためのログデータを生成する。
【００８１】
ＩＤ生成部５２５は、ログデータのログヘッダに記載されるＩＤを生成する。例えば、ＩＤとして、時刻順に生成したログデータに対応させた連続の番号を用いてもよい。
【００８２】
時刻生成部５３５は、時刻データを生成するもので、その時刻データは、ログ情報取得時や生成時の時刻情報として用いたり、擬似基地局５１，５２間の時刻合わせのために用いたりする。
【００８３】
擬似基地局側転送部５０７は、ログデータ生成部５１５で生成したログデータをＩＰパケットに組み込み、ＩＰパケットを中継装置４０を経由して表示装置１０に転送する。
【００８４】
ログデータバッファ５０６は、ログデータ生成部５１５で生成したログデータを、擬似基地局側転送部５０７が表示装置１０に転送する前に、一時的に保存するものである。
【００８５】
次に、図６を参照しながら、移動体通信端末７０と擬似基地局５１との間で通信が開始され、その通信データのログ情報が表示装置１０の表示部１１に表示されるまでの試験システム１００の動作を説明する。
【００８６】
まず、擬似基地局５１のシナリオ処理部５０１が、移動体通信端末７０に対する試験内容に応じて、記憶してあるプロトコルメッセージのシーケンスを記述した複数種類のシナリオから所定のシナリオを読み出し、そのシナリオに従ってメッセージ処理部５０２にメッセージを処理させる。
【００８７】
メッセージ処理部５０２はそのシナリオに基づいてレイヤ処理部５０３とメッセージを送受する。レイヤ処理部５０３はその制御に従って各プロトコルスタックの動作を制御する。送受信部５０４は、移動体通信端末７０とＲＦ信号を送受信する。これにより、擬似基地局５１と移動体通信端末７０との間で通信が開始される（ステップＳ１１）。
【００８８】
擬似基地局５１と移動体通信端末７０との間で通信が開始されると、レイヤ処理部５０３の各プロトコルに従い各レイヤ間で通信が行われる。レイヤ処理部５０３は、その通信のときに、各レイヤ間の通信の通信シーケンスおよび通信内容をログ情報として抽出する。ログデータ生成部５１５は、レイヤ処理部５０３の各レイヤ間で抽出されたそのログ情報を取得する（ステップＳ１２）。
【００８９】
ログデータ生成部５１５は、その取得したログ情報に、ＩＤ生成部５２５で生成される番号および時刻生成部５３５により生成される時刻をログヘッダに追加してログデータを生成し、その生成したログデータをログデータバッファ５０６に書き込む（ステップＳ１３）。
【００９０】
擬似基地局側転送部５０７は、ログデータバッファ５０６に書き込まれたログデータをＩＰパケットのデータ部分（ペイロード）に組込む。また、擬似基地局側転送部５０７は、ＩＰパケットのヘッダ部分に、送信元アドレスとして擬似基地局５１，５２のＩＰアドレスを書き込むとともに、宛先アドレスとして表示装置１０のＩＰアドレスの１９２．１６８．０．９を書き込み、このＩＰパケットを中継装置４０に送信する。
【００９１】
中継装置４０は、そのＩＰパケットを表示装置１０に転送する（ステップＳ１４）。
【００９２】
それよって、擬似基地局装置５１からログデータを含むＩＰパケットを表示装置１０に転送する擬似基地局装置５１の動作は終了する。
【００９３】
表示装置１０では、そのＩＰパケットを表示装置側転送部１５が受信する（ステップＳ２１）。表示装置側転送部１５は、そのＩＰパケットのヘッダ情報とペイロードに含まれるログデータとをＢＴＳ情報付加部１４およびＢＴＳ特定情報記憶部１６にそれぞれ送出する。
【００９４】
ＢＴＳ特定情報記憶部１６は、ＩＰアドレスとＢＴＳ識別情報との対応を示すテーブルを参照して、受信したＩＰパケットの送信元ＩＰアドレスからＢＴＳ識別情報を特定する（ステップＳ２２）。
【００９５】
その際、擬似基地局５１のＩＰアドレスは１９２．１６８．０．１なので、ＢＴＳ特定情報記憶部１６は、図２のテーブルを参照して、ＢＴＳ識別情報の欄から「１」に特定する。
【００９６】
ＢＴＳ特定情報記憶部１６は、その特定したＢＴＳ識別情報をＢＴＳ情報付加部１４に送信する。
【００９７】
ＢＴＳ情報付加部１４は、ログデータにＢＴＳ識別情報を付加する。例えば、図４に示すログデータのログヘッダの左端のＢＴＳ識別情報の欄に、「１」を書き込む（ステップＳ２３）。
【００９８】
そのＢＴＳ識別情報を付加したログデータがログデータ記憶部１３に記憶される（ステップＳ２４）。
【００９９】
次に、表示制御部１２は、試験者が操作部１７から入力した操作指示に応答して、ログデータ記憶部１３に記憶されているログデータを読み出し、その指示に従い、ログデータをソートして、例えば、同じＢＴＳ識別情報が付されたログデータを時間順に並べ、または、同じＢＴＳ識別情報が付されたログデータをグループにまとめる。それから、表示制御部１２は、そのソートしたログ情報を表示部１１に表示する（ステップＳ２５）。
【０１００】
図７および図８は、表示部１１に表示するログ情報の一覧の例を示す。
【０１０１】
図７の一覧は、各ログ情報を経過時間に並べるとともに、ログ情報をＢＴＳ識別情報別に２つのグループにグループ化して上下に配置したログ情報の欄７１と、その欄７１の中から選択した行のログ情報をテキスト変換した内容を示す欄７２と、その選択した行のログ情報を１６進数で表示した欄７３とを含む。
【０１０２】
図７の欄７１は、ＢＴＳ識別情報を示す「ＢＴＳ」７１ａ、「Ｎｏ．」（番号）７１ｂと、レイヤ処理部５０３のプロトコルの各階層を示す「ＰＨＹ  ＭＡＣ  ＲＬＣ  ＰＤＣＰ  ＲＲＣ」７１ｃと、レイヤ間通信の制御情報を示す「Ｐｒｉｍｉｔｉｖｅ」７１ｄと、チャンネルの種別を示す「Ｃｈａｎｎｅｌ」７１ｄと、メッセージの種別を示す「Ｍｅｓｓａｇｅ」７１ｆと、時刻情報を示す「Ｐｒｏｇｒｅｓｓ  Ｔｉｍｅ」７１ｇとの列からなる。
【０１０３】
Ｐｒｉｍｉｔｉｖｅ７１ｄにおいて、例えば、「ＲＥＱ」は要求を表し、「ＩＮＤ」は応答を示す。
【０１０４】
図８の一覧は、ＢＴＳ識別情報ごとに、プロトコルの各階層におけるログ情報を横に並べてまとめて表示したものである。その一覧は、ログ情報の欄８１と、その欄８１の中から選択した行のログ情報をテキスト変換した内容を示す欄８２と、その選択した行のログ情報を１６進数で表示した欄８３とを含む。
【０１０５】
上記の実施形態に係る表示装置１００は、擬似基地局のＩＰアドレスに対応させてログデータにＢＴＳ識別情報を付加することによって、ログ情報が、どの擬似基地局から送信されたログ情報であるかが、識別できるようにしている。
【０１０６】
これにより、擬似基地局から送信されるログデータに擬似基地局を識別できる仕組みがない場合であっても、どのログデータがどの擬似基地局と移動体通信端末７０との間の通信に関するものであるのかを判別することができる。このため、ログ情報を表示装置１０に表示する際に、擬似基地局ごとにログ情報をまとめて表示することができる。
【０１０７】
図９は、本発明の他の実施形態に係る通信システム９００のブロック図を示す。図９の通信システム９００において、図１に示す通信ステム１００の要素と同一の符号を付した要素は、同一の機能を有するものであるため、それらの説明は省略する。
【０１０８】
この実施形態に係る通信システム９００では、表示装置１１０が擬似基地局５１，５２からログデータを格納するＩＰパケットを送信した際に、まず、ログデータがＩＰアドレスの相違に基づいて識別されて別々の記憶部に記憶される。次に、各記憶部内のログデータに同一のＢＴＳ識別情報が付される。それにより、各ログデータが同じ擬似基地局の通信データのものであるか否かが判別できるようになる。
【０１０９】
具体的に述べると、通信システム９００は表示装置１１０を備える。表示装置１１０は、表示装置側転送部１５、振分情報記憶部２２、ログデータ振分部２０、ログデータ記憶部３１（＃１）とログデータ記憶部３２（＃２）とを備えるログデータ記憶部３０、表示制御部１２、読出情報記憶部２１、表示部および操作部１７を備える。
【０１１０】
表示装置側転送部１５は、中継装置４０から送信されるＩＰパケットのヘッダ情報とペイロードに含まれるログデータとを振分情報記憶部２２およびログデータ振分部２０にそれぞれ送出する。振分情報記憶部２２は振分情報を予め記憶するものである。
【０１１１】
振分情報記憶部２２は、受け取ったＩＰパケットのヘッダ情報から送信元のＩＰアドレスを読み出す。また、振分情報記憶部２２は、所定のテーブルを有していて、そのテーブルを参照して、ログデータの振分先を決定する。つまり、振分情報記憶部２２は、ログデータをログデータ記憶部３１またはログデータ記憶部３２とのどちらに記憶させるかを判断する。次に、振分情報記憶部２２は、その振分先を示す振分情報をログデータ振分部２０に送信する。
【０１１２】
図１０は、振分情報記憶２２に記憶されているテーブルの一例を示す。そのテーブルは、表示装置側転送部１５から受信したＩＰパケットの送信元のＩＰアドレスと振分先との関係を示す。振分先は、記憶部＃１（ログデータ記憶部３１）および記憶部＃２（ログデータ記憶部３２）である。
【０１１３】
例えば、そのテーブルによると、ＩＰパケットの送信元のＩＰアドレスが、１９２．１６８．０．１の場合には、振分先は記憶部＃１、つまり、ログデータ記憶部３１に決まる。また、そのテーブルによると、ＩＰパケットの送信元のＩＰアドレスが、１９２．１６８．０．２の場合には、振分先は記憶部＃２、つまり、ログデータ記憶部３２に決まる。
【０１１４】
ログデータ振分部２０は、振分情報記憶部２２から入力された振分先を示す振分情報に基づいて、受けたログデータをログデータ記憶部３１またはログデータ記憶部３２に記憶させる。
【０１１５】
上記のように、振分情報記憶２２が、図１０のテーブルの例に基づいて、ログデータ振分部２０に、ログデータの振分先は記憶部＃１であるということを示す振分情報を入力すると、ログデータ振分部２０は、そのログデータをログデータ記憶部３１に記憶させる。
【０１１６】
読出情報記憶部２１は、所定のテーブルを有する。図１１は、テーブルの一例を示す。その一例は、読出元の記憶部＃１（ログデータ記憶部３１）および記憶部＃２（ログデータ記憶部３２）が、それぞれ、ＢＴＳ識別情報の「１」および「２」に対応する関係を示す。
【０１１７】
そのテーブルの内容は、読出情報記憶部２１から表示制御部１２に入力される。表示制御部１２は、ログデータをログデータ記憶部３１またはログデータ記憶部３２から読み出したときに、そのテーブルに従って、そのログデータに、それぞれの記憶部に対応するＢＴＳ識別情報を付す。この結果、同一の記憶部から読み出したログデータには同一のＢＴＳ識別情報が付されることになる。
【０１１８】
また、表示制御部１２は、ＢＴＳ識別情報に基づいてログデータを並び替えたりまとめたりしてログ情報の所定の一覧を作成する。例えば、図７または図８に示すように、同じＢＴＳ識別情報が付されたログデータを時間順にソートしたり、同じＢＴＳ識別情報が付されたログデータをグループにまとめたりする。
【０１１９】
次に、表示制御部１２は、ログ情報を表示部１１に表示させる。
【０１２０】
次に、図１２を参照しながら、移動体通信端末７０と例えば擬似基地局５１との間で通信が開始され、その通信データのログ情報が表示装置１１０の表示部１１に表示されるまでの試験システム９００の動作を説明する。
【０１２１】
まず、擬似基地局５１のシナリオ処理部５０１が、移動体通信端末７０に対する試験内容に応じて、記憶してあるプロトコルメッセージのシーケンスを記述した複数種類のシナリオから所定のシナリオを読み出し、そのシナリオに従ってメッセージ処理部５０２にメッセージを処理させる。
【０１２２】
メッセージ処理部５０２はそのシナリオに基づいてレイヤ処理部５０３とメッセージを送受する。レイヤ処理部５０３はその制御に従って各プロトコルスタックの動作を制御する。送受信部５０４は、移動体通信端末７０とＲＦ信号を送受信する。これにより、擬似基地局５１と移動体通信端末７０との間で通信が開始される（ステップＳ３１）。
【０１２３】
擬似基地局５１と移動体通信端末７０との間で通信が開始されると、レイヤ処理部５０３の各プロトコルに従い各レイヤ間で通信が行われる。レイヤ処理部５０３は、その通信のときに、各レイヤ間の通信の通信シーケンスおよび通信内容をログ情報として抽出する。ログデータ生成部５１５は、レイヤ処理部５０３の各レイヤ間で抽出されたそのログ情報を取得する（ステップＳ３２）。
【０１２４】
ログデータ生成部５１５は、その取得したログ情報に、ＩＤ生成部５２５で生成される番号および時刻生成部５３５により生成される時刻をログヘッダに追加してログデータを生成し、その生成したログデータをログデータバッファ５０６に書き込む（ステップＳ３３）。
【０１２５】
擬似基地局側転送部５０７は、ログデータバッファ５０６に書き込まれたログデータをＩＰパケットのデータ部分（ペイロード）に組込む。また、擬似基地局側転送部５０７は、ＩＰパケットのヘッダ部分に、送信アドレスとして擬似基地局５１，５２のＩＰアドレスを書き込むとともに、宛先アドレスとして表示装置１１０のＩＰアドレスの１９２．１６８．０．９を書き込み、このＩＰパケットを中継装置４０に送信する。
【０１２６】
中継装置４０は、そのＩＰパケットを表示装置１１０に転送する（ステップＳ３４）。
【０１２７】
それによって、擬似基地局装置５１からログデータを含むＩＰパケットを表示装置１１０に転送する擬似基地局装置５１の動作は終了する。
【０１２８】
表示装置１１０では、そのＩＰパケットを表示装置側転送部１５が受信する（ステップＳ４１）。表示装置側転送部１５は、そのＩＰパケットのヘッダ情報とペイロードに含まれるログデータとをログデータ振分部２０および振分情報記憶部２２にそれぞれ送出する。
【０１２９】
振分情報記憶部２２は、ＩＰパケットから送信元のＩＰアドレスを読み出し、ＩＰアドレスと振分先との対応を示すテーブルを参照して振分先を特定する（ステップＳ４２）。
【０１３０】
擬似基地局５１のＩＰアドレスは１９２．１６８．０．１なので、図１０のテーブルから、振分情報記憶部２２は、ＩＰパケットのペイロードに含まれていたログデータの振分先を記憶部＃１（ログデータ記憶部３１）に特定する。
【０１３１】
振分情報記憶部２２は、その特定した振分先を示す信号をログデータ振分部２０に送信する。
【０１３２】
ログデータ振分部２０は、振分情報記憶部２２から受信した振分先を示す信号に基づいて、そのログデータをログデータ記憶部３１またはログデータ記憶部３２に記憶させる（ステップＳ４３）。
【０１３３】
上記の例では、振分情報記憶部２２が、ログデータの振分先を記憶部＃１に特定したので、そのログデータはログデータ記憶部３１に記憶される。
【０１３４】
次に、読出情報記憶部２１が、ログデータの記憶されている記憶部＃１および記憶部＃２とＢＴＳ識別情報の「１」および「２」との対応関係を示すテーブルのデータを表示制御部１２に入力する。
【０１３５】
表示制御部１２は、ログデータをログデータ記憶部３１またはログデータ記憶部３２から読み出した場合に、そのテーブルの内容に従い、そのログデータに、それぞれの記憶部に対応するＢＴＳ識別情報を付す（ステップＳ４４）。
【０１３６】
例えば、表示制御部１２は、ログデータをログデータ記憶部３１（記憶部＃１）から読み出した場合には、テーブルを参照して、ＢＴＳ情報の「１」をそのログデータのヘッダ部分に付す。この結果、同一の記憶部から読み出したログデータには同一のＢＴＳ識別情報が付されることになる。
【０１３７】
次に、表示制御部１２は、試験者が操作部１７から入力した操作指示に応答して、ログデータをソートして、ログデータに付されているＢＴＳ識別情報に基づいて、例えば、同じＢＴＳ識別情報が付されたログデータを時間順に並べたり、同じＢＴＳ識別情報が付されたログデータをグループにまとめる（ステップＳ４５）。
【０１３８】
それから、表示制御部１２は、そのソートしたログ情報を表示部１１に表示する（ステップＳ４６）。例えば、表示部１１は、図７または図８と同様のログ情報の一覧を表示することができる。これで、表示装置１１０のログデータの表示のための動作は終了する。
【０１３９】
本発明によると、複数の擬似基地局を備えた試験システムにおいて、複数の擬似基地局の個々の擬似基地局の動作に関するログ情報をそれぞれ区別して適切に収集するとともに、その複数の擬似基地局の個々の擬似基地局の動作に関するログ情報を、個々の擬似基地局が識別可能となるように表示する移動体通信端末の試験システムおよび試験システムのログ情報の表示方法を提供することができる。
【符号の説明】
【０１４０】
１０  表示装置
１１  表示部
１２  表示制御部
１３  ログデータ記憶部
１４  ＢＴＳ情報付加部（識別情報付加部）
１５  表示装置側転送部
１６  ＢＴＳ特定情報記憶部（擬似基地局特定情報記憶部）
２０  ログデータ振分部
２１  読出情報記憶部
２２  振分情報記憶部
３１，３２  ログデータ記憶部
４０  中継装置
５１，５２  擬似基地局（擬似基地局装置）
６０  結合器
７０  移動体通信端末
１００，９００  試験システム
５０１  シナリオ処理部（シナリオ制御部）
５０２  メッセージ処理部（シナリオ制御部）
５０３  レイヤ処理部
５０５  ログデータ処理部
５０６  ログデータバッファ
５０７  擬似基地局側転送部
５１５  ログデータ生成部
５２５  ＩＤ生成部
５３５  時刻生成部
【図１】
0005592460.tif 000002
【図２】
0005592460.tif 000003
【図３】
0005592460.tif 000004
【図４】
0005592460.tif 000005
【図５】
0005592460.tif 000006
【図６】
0005592460.tif 000007
【図７】
0005592460.tif 000008
【図８】
0005592460.tif 000009
【図９】
0005592460.tif 000010
【図１０】
0005592460.tif 000011
【図１１】
0005592460.tif 000012
【図１２】
0005592460.tif 000013